(57)【要約】      （修正有）【課題】使い捨て可能であって、かつ衛生的に保管可能な箸置き及び割箸を提供する。【解決手段】箸置き１は、短辺の長さが割箸の基端部の幅の１．５乃至３倍の矩形状の紙の短手方向の中心であって長手方向と平行な中心線を１８０度折曲し、折曲線の両外側の適位置で折曲線と平行に折曲線の折曲方向と反対の方向に９０度折曲し、中心の折曲線の中央部分を細長い形状に切り落としたものである。なお、箸置き１は、中心の折曲線の両端を三角形状に切り落とすことが好ましい。さらに、中心の折曲線の両側の重合部を互いに接着することも可能である。また、割箸は、箸置き１の中心重合部分を割箸の割れ目に挿入した後、割箸とともに箸袋に収納する。【選択図】図２
0003107101.tif 000002
【実用新案登録請求の範囲】
【請求項１】
短辺の長さが割箸の基端部の幅の１．５乃至３倍の矩形状の紙の短手方向の中心であって長手方向と平行な中心線を１８０度折曲し、該折曲線の両外側の適位置で該折曲線と平行に該折曲線の折曲方向と反対の方向に９０度折曲し、前記中心の折曲線の中央部分を細長い形状に切り落としたことを特徴とする箸置き。
【請求項２】
請求項１に記載の箸置きにおいて、
前記中心の折曲線の両端を三角形状に切り落としたことを特徴とする箸置き。
【請求項３】
請求項１または２に記載の箸置きにおいて
前記中心の折曲線の両側の重合部を互いに接着したことを特徴とする箸置き。
【請求項４】
請求項１乃至３のいずれかに記載の箸置きにおいて、
短手方向一端を折曲し糊付けして袋部を形成し、該袋部に爪楊枝を収納したことを特徴とする箸置き。
【請求項５】
請求項１乃至４のいずれかに記載の箸置きの中心重合部分を割箸の割れ目に挿入した後、割箸とともに箸袋に収納したことを特徴とする割箸。
【考案の詳細な説明】
【技術分野】
【０００１】
本考案は、紙製の箸置きおよびその箸置きとともに箸袋内に収納された割箸に関する。
【背景技術】
【０００２】
一般に、和食の飲食店では、お客が使用する箸として、衛生上、使い捨てが可能な割箸を使用している。割箸は、使用するとき、紙製等の箸袋から取り出して、その割れ目から２つに割られて使用される。箸を使用しないとき、テーブルに割箸を直接置いては、不潔であるため、専用の箸置きの上に割箸の先端を乗せるようにしていた。ところで、飲食店にとっては、箸置きを使用すると、その分、食器の点数が増えて、洗浄、濯ぎ、乾燥、保管、運搬等の管理の手間が増えてしまうため、できれば箸置きを使用しない方が好ましい。そこで、割箸を入れていた箸袋が、割箸を取り出した後、捨てられてしまうのに着目して、箸袋を箸置きとして利用することが提案されている。特許文献１および特許文献２にその箸袋を利用した箸置きが記載されている。
【特許文献１】特開平０５−３１０１８号公報
【特許文献２】実開平０６−１８２８７号公報
【考案の開示】
【考案が解決しようとする課題】
【０００３】
しかしながら、特許文献１および特許文献２に記載されている箸袋を利用した箸置きの場合は、箸袋がそれぞれ、割箸を入れるとき、運搬されるとき、分配されるときに複数の人の手に触れており、決して衛生的に取り扱われている訳ではない。そのため、もっと衛生的に取り扱われる箸置きの出現が望まれていた。そこで、本考案は、使用されるまで衛生的に保管される、使い捨ての箸置きおよびその箸置きとともに箸袋内に収納された割箸を提案することを目的とした。
【課題を解決するための手段】
【０００４】
上記課題を解決するために、本考案の箸置きは、短辺の長さが割箸の基端部の幅の１．５乃至３倍の矩形状の紙の短手方向の中心であって長手方向と平行な中心線を１８０度折曲し、該折曲線の両外側の適位置で該折曲線と平行に該折曲線の折曲方向と反対の方向に９０度折曲し、前記中心の折曲線の中央部分を細長い形状に切り落としたことを特徴とする。
なお、前記箸置きは、前記中心の折曲線の両端を三角形状に切り落とすことが好ましい。さらに、前記中心の折曲線の両側の重合部を互いに接着することも可能である。
また、短手方向一端を折曲し糊付けして袋部を形成し、該袋部に爪楊枝を収納することも可能である。
また、本考案の割箸は、前記箸置きの中心重合部分を割箸の割れ目に挿入した後、割箸とともに箸袋に収納したことを特徴とする。
【考案の効果】
【０００５】
以上述べたように本考案によれば、矩形状の紙を折曲して箸置きが形成されることで、箸置きが安価に製造可能であるとともに、その中心重合部分を割箸の割れ目に挿入した後、割箸とともに箸袋に収納することで、箸置きが露出されることがなくなり、衛生的である。また、箸置きは使用後、割箸および箸袋とともに廃棄して焼却処分することが可能である。
【考案を実施するための最良の形態】
【０００６】
以下、図に基づいて本考案の実施形態を説明する。
図１は本考案に係る箸置きの折曲前の状態を示す展開図であり、図２は折曲後の箸置きの斜視図であり、図３は箸置きを割箸の割れ目に挿入した状態を示す平面図であり、図４は箸置きが挿入された割箸を箸袋に収納した状態を示す平面図である。図１に示されるように、箸置き１は矩形状の紙からなり、その短辺の長さは割箸の基端部の幅の１．５〜３倍程度とする。この矩形状の紙の短手方向の中心であって長手方向と平行な中心線を折曲線２として、１８０度折曲する。同様に、折曲線２の両外側の略中間部分を、折曲線２と平行な折曲線３，４として、折曲線２の折曲方向と反対の方向に９０度折曲する。
【０００７】
次に、１８０度折曲された折曲線２の中央部分を細長い菱形に切り抜いて孔５を形成する。この孔５の形状は、弓形の弧を組み合わせた形にしてもよい。同じく、折曲線２の両端を三角形に切り落として切り欠き部６，７を形成する。なお、これら孔５および切り欠き部６，７の切断加工は、折曲線２および折曲線３，４を折曲した後でなく、折曲する前に、切り抜き型により、一度に切り落とすようにしても良い。このようにして、折曲と切断加工が済むと、図２のように箸置き１が形成されて、テーブル等の上面に置くことが可能となり、その上端側重合部分の中央の孔５の部分の窪みに割箸の先端部が乗せられて、箸置きとして機能する。なお、必要な場合は、上端側重合部分の内面の全面または一部分を糊付けすることも可能である。
【０００８】
図３は図２のように形成された箸置き１の上端部を、割箸８の割れ目９に挿入した状態を示し、このとき、箸置き１の短手方向両端は割箸８の幅よりも若干突出しているが、箸置き１が挿入された割箸８を、箸袋１０の内部に挿入することに支障はない。図４は、図３のように箸置き１が挿入された割箸８を箸袋１０の内部に挿入した状態を示す。このように折曲して形成された箸置き１が割箸８に挟まれて、さらに箸袋１０の内部に挿入されることで、箸置き１の折曲された形状が保持されて、時間の経過とともに折曲部が元の形状に戻ろうとすることを防止できる効果がある。
【０００９】
また、箸置き１の一端が、箸袋１０の開口部からのぞいているため、この割箸８を使用する使用者は、箸袋１０から割箸８を引き抜くとき、箸置き１の存在を確認できる。使用者により、箸袋１０から抜き取られた割箸８は、その割れ目９から２つに分断されると、割れ目９に挟まれていた箸置き１が落下するので、その箸置き１を所定の場所に置いて、箸置きとして割箸８の先端部を乗せることができる。なお、箸置き１の表面または裏面となる部分には、店名や屋号のロゴ、四季折々の花のイラスト、占い結果の文言等を印刷しておくことも可能である。
【００１０】
次に、本考案に係る箸置きの他の実施形態について説明する。
図５は本考案に係る箸置きの他の実施形態の折曲前の状態を示す展開図であり、図６は折曲後の箸置きの斜視図である。この実施形態は、図１〜図４に示された実施形態の短手方向一端に、爪楊枝を収納する袋を追加したものである。すなわち、図１と同様に構成された箸置き１１の下端に、糊代１２を形成し、その下端に略三角形をした袋部１３を設け、その中心部分に折曲線１４を形成する。さらに、袋部１３の下端に糊代１５を設け、折曲線１４で袋部１３を上方または下方へ折曲するとともに、糊代１５を糊代１２に貼着することで、図６のように形成される。
【００１１】
この箸置き１１は、その袋部１３に爪楊枝１６が挿入される。また、この箸置き１１は、図１〜図４に示された箸置き１と同じく、割箸の割れ目に挟み込んだ後に箸袋に収納しておくことができる。
このように、本考案では、紙製からなる箸置き１，１１が、割箸の割れ目に挟み込まれて箸袋に収納されるため、割箸が箸袋に収納されて、最終の使用者の手に渡るまで、箸置き１，１１の箸が置かれる部分は衛生的に保たれる。また、使用後は、箸袋および割箸と同様に廃棄されて最終的には焼却処分されるため環境への負荷も微小なものとなる。
【産業上の利用可能性】
【００１２】
本考案は、通常の大量に消費されている木製の割箸以外に、同様に箸袋に収納されていて、先端側が丸棒状に削られている竹製の箸にも利用可能である。
【図面の簡単な説明】
【００１３】
【図１】本考案に係る箸置きの折曲前の状態を示す展開図である。
【図２】折曲後の箸置きの斜視図である。
【図３】箸置きを割箸の割れ目に挿入した状態を示す平面図である。
【図４】箸置きが挿入された割箸を箸袋に収納した状態を示す平面図である。
【図５】本考案に係る箸置きの他の実施形態の折曲前の状態を示す展開図である。
【図６】図５の箸置きの折曲後の斜視図である。
【符号の説明】
【００１４】
１  箸置き
２  折曲線
３，４  折曲線
５  孔
６，７  切り欠き部
８  割箸
９  割れ目
１０  箸袋
１１  箸置き
１２  糊代
１３  袋部
１４  折曲線
１５  糊代
１６  爪楊枝
【図１】
0003107101.tif 000003
【図２】
0003107101.tif 000004
【図３】
0003107101.tif 000005
【図４】
0003107101.tif 000006
【図５】
0003107101.tif 000007
【図６】
0003107101.tif 000008